【事件の表示】
　平成　３年特許願第　５１７１４号「感熱転写画像記録体およびその製造方法」拒絶査定に対する審判事件［平成　４年１０月１２日出願公開、特開平　４−２８６６８９］について、次のとおり審決する。
【結　論】
　本件審判の請求は、成り立たない。
【理　由】
１．手続の経緯・本願発明
　本願は、平成３年３月１５日の出願であって、その請求項１及び請求項２に係る発明は、平成３年４月４日付、平成９年９月２２日付、及び平成１０年７月１３日付の手続補正書によって補正された明細書及び図面の記載からみて、その特許請求の範囲の請求項１及び請求項２に記載された次のとおりのものと認める。
　「【請求項１】熱拡散性色素による画像を有する受像層と、紫外線吸収性樹脂層と、紫外線硬化性樹脂層とをこの順に支持体上に積層してなることを特徴とする感熱転写画像記録体。
【請求項２】支持体と受像層とから構成される感熱転写記録用受像シートの受像層と、熱拡散性色素を含むインク層を有する感熱転写記録用インクシートとを重ねて像様に加熱することにより画像を受像層に転写し、この画像形成面を、紫外線吸収性樹脂層で被覆し、次いでその上に紫外線硬化性樹脂を含有するコーティング剤を被覆し、該コーティング剤に紫外線を照射して紫外線硬化性樹脂層を形成することを特徴とする感熱転写画像記録体の製造方法。」
　
２．引用刊行物記載の発明
　これに対して、原査定の拒絶の理由に引用された、本願出願日前に頒布されたことが明らかな刊行物である特開昭６１−５７３９２号公報（以下、「引用刊行物１」という。）及び特開昭６２−１０５６９１号公報（以下、「引用刊行物２」という。）には、次の事項が記載されている。
　引用刊行物１には、「熱転写用記録紙の表面を被覆するカバーフィルムにおいて、該カバーフィルムが３００〜４００ｎｍの紫外線を吸収する紫外線吸収剤を含有する高分子からなることを特徴とする熱転写用記録紙のカバーフィルム。」が記載されており（特許請求の範囲）、従来技術の問題点として、熱転写記録方式の一つである昇華型熱転写記録方式で得られた画像は熱、光、紫外線で退色しやすく画像の保存性が良くないことが指摘され（公報第１頁右下欄第１行〜第１９行参照）、発明の目的について、「本発明はこのような従来の欠点を除去せしめて、保存性の良い記録画像を提供することにある。」と記載され（公報第２頁左上欄第２行〜第３行）、また作用について、「即ち、昇華染料でカラー画像が形成された記録紙を紫外線吸収剤が分散されたカバーフィルムで被覆することで、染料に到達する紫外線を減少させることにより画像の退色を大巾に減少させた。」と記載されている（公報第２頁左上欄第１２行〜第１６行）。また、実施例には、「昇華性染料としてアントラキノン系の分散染料及び接着剤としてのエチルセルロースよりなる昇華記録層を８μｍ厚さのコンデンサー紙上に形成した昇華シートを用い、変性ポリエステル樹脂層を普通紙に形成した記録紙にサーマルヘッドで画像を記録した。次に紫外線吸収剤としての２−ヒドロキシ４−メトキシベンゾフェノンを３重量％分散した変性ポリエステル樹脂の薄いフィルムを前述の記録紙に熱圧着した。」と記載されている（公報第２頁左下欄第６行〜第１４行）。
　引用刊行物２には、「（１）被記録材上に形成された、染料及び／又は顔料を含有するカラー画像上に、紫外線硬化性樹脂を塗布した後紫外線を照射して硬化せしめることにより透明保護層を形成することを特徴とする記録方法。」が記載されており（特許請求の範囲第１項）、発明の属する技術分野について、「本発明は、インクジェット記録方式、熱転写方式、または電子写真方式等による記録方法及び装置に関し、特に、これらの記録方式よって形成された耐光性の劣るカラーインキやカラートナーによる画像の褪色を防止し、長期保存に耐える画像を提供する方法及び装置に関する。」と記載されている（公報第１頁右下欄第５行〜第１０行）。また、従来技術の問題の一つとして、カラー用の着色剤として使用されている染料や顔料は耐光性に乏しく、長時間にわたって蛍光灯や外光にさらされると褪色するという欠点を有し、このような褪色は蛍光灯や外光の中に含まれる紫外線のみならず、温度、湿度あるいは空気中のオゾンやイオンによっても生ずることが記載され（公報第２頁左上欄第３行〜第１１行参照）、この問題点を克服することについて、「カラー画像上に紫外線硬化性樹脂を塗布し、紫外線で硬化させた透明保護膜を形成せしめることにより、カラー画像の褪色防止が簡便かつ迅速に達成できるという知見を得た。」と記載され（公報第２頁左下欄第５行〜第８行参照）、具体的には、「本発明においては、インクジェット記録方式、熱転写方式又は電子写真方式等の記録方式により被記録材に形成された染料又は／顔料を着色剤として有するカラー画像上に、上述の紫外線硬化性樹脂を均一に塗布したのち、紫外線ランプ等により紫外線を照射せしめる。カラー画像上の紫外線硬化性樹脂は、該照射により硬化し、均一で一様な保護膜を形成する。該保護膜は、カラー画像が紫外線や外気中に含まれるオゾンやイオンにより褪色することを防止するのに有効な膜となって機能するうえ、該保護膜は、カラー画像が紫外線や外気中に含まれるオゾンやイオンにより褪色することを防止するのに有効な膜となって機能するうえ、該保護膜は、紫外線照射という簡便かつ迅速な方法により形成されるため、従来のラミネートによる方法の諸問題を解消することができる。」と記載されている（公報第２頁右下欄第５行〜第１８行）。
３．対比・判断
（請求項１について）
  本願請求項１に係る発明（以下、「本願発明１」という。）の感熱転写画像記録体と、上記引用刊行物１の実施例１に記載された紫外線吸収剤を分散したポリエステルフィルムを熱圧着した記録紙とを比較すると、引用刊行物１記載の記録紙が、変性ポリエステル樹脂層を普通紙に形成した記録紙に昇華性染料により画像を記録していることが明らかであることから、両者は、「熱拡散性色素による画像を有する受像層と、紫外線吸収性樹脂層をこの順に支持体上に積層してなることを特徴とする感熱転写画像記録体」である点で一致し、一方、本願発明１の感熱転写画像記録体は紫外線吸収性樹脂層の上にさらに「紫外線硬化性樹脂層」を有しているのに対して、引用刊行物１記載のものは紫外線硬化性樹脂層を有していない点において相違している。
  上記相違点について以下に検討する。
　引用刊行物２には、被記録材上に形成された染料を含有するカラー画像上に紫外線硬化性樹脂からなる透明保護層を形成することが記載されており（特許請求の範囲参照）、インクジェット記録方式、熱転写方式、電子写真方式等によって形成された耐光性の劣るカラーインキやカラートナーによる画像の褪色を防止し、長期保存に耐える画像を提供することが記載されている（公報第１頁右下欄第５行〜第１０行参照）。したがって、引用刊行物１に記載されているような、熱転写方式の一つである昇華型熱転写記録方式によってカラー画像が形成された記録紙であって、かつ受像層の上に紫外線吸収性樹脂層を設けることにより画像の褪色防止が図られている記録紙においても、長期保存性のさらなる改善を目指して、紫外線吸収性樹脂層の上にさらに紫外線硬化樹脂からなる透明保護層を設けることは、これらの層を積層するに際して格別困難な点がないことからみて、当業者が容易に想到し得るものである。また、紫外線硬化性樹脂層を設けたことによる画像の損傷防止、溶剤などに対する耐久性、改竄の防止性などの本願発明１における効果（本願明細書段落【０１１０】参照）は、紫外線硬化性樹脂からなる透明保護層の有する自明の性質に起因するものであり、上記引用刊行物２の記載から予測可能な範囲内のものである。
  したがって、本願発明１は、引用刊行物１及び引用刊行物２に記載された発明に基づいて当業者が容易になし得たものであると認められる。
（請求項２について）
  本願請求項２に係る発明（以下、「本願発明２」という。）の感熱転写画像記録体の製造方法と、上記引用刊行物１の実施例１に記載された紫外線吸収剤を分散したポリエステルフィルムを熱圧着した記録紙の製造方法とを比較すると、引用刊行物１記載の製造方法においては、昇華性染料を含む昇華記録層をコンデンサー紙上に形成した昇華シートと変性ポリエステル樹脂層を普通紙に形成した記録紙とを重ね合わせてサーマルヘッドにより画像を記録していることが明らかであることから、両者は、「支持体と受像層から構成される感熱転写記録用受像シートの受像層と、熱拡散性色素を含むインク層を有する感熱転写記録用インクシートのインク層とを重ねて像様に加熱することにより画像を受像層に転写し、この画像形成面を紫外線吸収性樹脂層で被覆することを特徴とする感熱転写画像記録体の製造方法」である点で一致し、一方、本願発明２の感熱転写画像記録体の製造方法は、紫外線吸収性樹脂層の上にさらに「紫外線硬化性樹脂を有するコーティング剤を被覆し、該コーティング剤に紫外線を照射して紫外線硬化性樹脂層を形成」しているのに対して、引用刊行物１記載のものはこのような紫外線硬化性樹脂層を形成していない点において相違している。
  上記相違点について以下に検討する。
　引用刊行物２には、被記録材上に形成された染料を含有するカラー画像上に、紫外線硬化性樹脂を塗布した後紫外線を照射して硬化せしめることにより透明保護層を形成することが記載されており（特許請求の範囲参照）、インクジェット記録方式、熱転写方式、電子写真方式等によって形成された耐光性の劣るカラーインキやカラートナーによる画像の褪色を防止し、長期保存に耐える画像を提供することが記載されている（公報第１頁右下欄第５行〜第１０行参照）。したがって、引用刊行物１に記載されているような、熱転写方式の一つである昇華型熱転写記録方式によってカラー画像が形成された記録紙であって、かつ受像層の上に紫外線吸収性樹脂層を設けることにより画像の褪色防止が図られている記録紙を製造する方法においても、長期保存性のさらなる改善を目指して、紫外線吸収性樹脂層の上にさらに紫外線硬化性樹脂を塗布した後紫外線を照射して硬化せしめることにより透明保護層を形成する工程を付加することは、これらの層を積層するに際して格別困難な点がないことからみて、当業者が容易に想到し得るものである。また、紫外線硬化性樹脂層を設けたことによる画像の損傷防止、溶剤などに対する耐久性、改竄の防止性などの本願発明２における効果（本願明細書段落【０１１０】参照）は、紫外線硬化性樹脂からなる透明保護層の有する自明の性質に起因するものであり、上記引用刊行物２の記載から予測可能な範囲内のものである。
  したがって、本願発明２は、引用刊行物１及び引用刊行物２に記載された発明に基づいて当業者が容易になし得たものであると認められる。
４．むすび
　以上のとおりであるから、本願の請求項１及び請求項２に係る発明は、上記引用刊行物に記載された発明に基づいて当業者が容易になし得た発明と認められ、特許法第２９条第２項の規定により特許を受けることができない。
　よって、結論のとおり審決する。